【手続補正書】
【提出日】平成18年1月30日(2006.1.30)
【手続補正１】
【補正対象書類名】明細書
【補正対象項目名】特許請求の範囲
【補正方法】変更
【補正の内容】
【特許請求の範囲】
【請求項１】  局所クロックを有し衛星測位システムを用いた移動受信機と衛星測位システムとを同期化するための方法であって、
前記移動受信機において第１及び第２衛星信号をサンプリングする段階と、
前記移動受信機において第１及び第２局所クロック信号をサンプリングする段階であって、前記第１局所クロック信号は、前記第２局所クロック信号が前記第２衛星信号に対して有する関係と同じ関係を前記第１衛星信号に対して有する前記段階と、
前記第１と前記第２局所クロック信号との間の差によって除算された前記第１と前記第２のサンプリングされた衛星信号との間の差に比例する局所クロックドリフトを求める段階と、
前記局所クロックのドリフトに基づき前記局所クロックを補正する段階と、を備えることを特徴とする方法。
【請求項２】  請求項１に記載の方法であって、
前記第１衛星信号と前記第１クロック信号とをほぼ同時にサンプリングする段階と、
前記第２衛星信号と前記第２クロック信号とをほぼ同時にサンプリングする段階と、を備えることを特徴とする方法。
【請求項３】  請求項１に記載の方法であって、
前記移動受信機は、セルラ式通信ネットワーク用の携帯電話であり、定期的に前記局所クロックを補正し、前記局所クロックが補正される頻度より少ない頻度で前記局所クロックドリフトを更新することを特徴とする方法。
【請求項４】  請求項３に記載の方法であって、
前記第１衛星信号と前記第１局所クロック信号とをほぼ同時にサンプリングする段階と、
前記第２衛星信号と前記第２クロック信号とをほぼ同時にサンプリングする段階と、を備えることを特徴とする方法。
【請求項５】  セルラ式通信ネットワーク基地局の局所クロックと、衛星測位システムのシステムクロックとを同期化するための方法であって、
前記基地局において、衛星時刻を有する第１及び第２衛星信号をサンプリングする段階と、
第１及び第２基地局局所クロック信号をサンプリングする段階であって、前記第１局所クロック信号は、前記第２衛星信号に対して前記第２局所クロック信号が有する関係と同じ関係を前記第１衛星信号に対して有する前記段階と、
前記第１と前記第２局所クロック信号との間の差によって除算された前記第１と前記第２衛星信号との間の衛星時刻の差に比例する局所クロックドリフトを求める段階と、
前記局所クロックのドリフトに基づき前記局所クロックを補正する段階と、を備えることを特徴とする方法。
【請求項６】  請求項５に記載の方法であって、前記局所クロックを再補正する段階を備えることを特徴とする方法。
【請求項７】  請求項５に記載の方法であって、
前記第１衛星信号と第１クロック信号とをほぼ同時にサンプリングする段階と、
前記第２衛星信号と前記第２クロック信号とをほぼ同時にサンプリングする段階と、を備えることを特徴とする方法。
【請求項８】  衛星測位システムを用いた移動受信機であって、
衛星測位システムから衛星時刻を有する衛星信号を受信するための衛星測位システムインターフェースと、
局所クロックと、
ＴＭＳ１及びＴＭＳ２が、第１及び第２のサンプリングされた局所クロック時刻であり、ＴＧＰＳ１及びＴＧＰＳ２が、第１及び第２のサンプリングされた衛星時刻である場合、［ＴＭＳ１−ＴＭＳ２］／［ＴＧＰＳ１−ＴＧＰＳ２］に比例した局所クロックドリフト
（Ｔ移動局ドリフト）を求める手段と、を備え、
前記第１衛星時刻は、前記第２衛星時刻が前記第２局所クロック時刻に対して有する関係と同じ関係を前記第１局所クロックに対して有することを特徴とする移動受信機。
【請求項９】  請求項８に記載の移動受信機であって、
前記局所クロックドリフトに基づき、前記局所クロックを補正する手段を備えることを特徴とする移動受信機。
【請求項１０】  請求項８に記載の移動受信機であって、セルラ式通信ネットワークにおいて通信を行なうための無線通信インターフェースを備える衛星測位システムを用いた携帯電話機であることを特徴とする移動受信機。
【請求項１１】  セルラ式通信ネットワーク基地局であって、
衛星測位システムから衛星時刻を有する衛星信号を受信するための衛星測位システムインターフェースと、
局所クロックと、
ＴＢＳ１及びＴＢＳ２が、第１及び第２のサンプリングされた局所クロック時刻であり、ＴＧＰＳ１及びＴＧＰＳ２が、第１及び第２のサンプリングされた衛星時刻である場合、［ＴＢＳ１−ＴＢＳ２］／［ＴＧＰＳ１−ＴＧＰＳ２］に比例した局所クロックドリフト
（Ｔ基地局ドリフト）を求める手段と、を備え、
前記第１衛星時刻は、前記第２衛星時刻が前記第２局所クロック時刻に対して有する関係と同じ関係を前記第１局所クロックに対して有することを特徴とする移動受信機。
【請求項１２】  請求項１１に記載の基地局であって、
前記局所クロックドリフトに基づき、前記局所クロックを補正するための手段を備えることを特徴とする基地局。
【請求項１３】  既知のビット継続時間（ＢＤ）に基づき移動受信機と基地局との間の往復遅延（ＲＴＤ）を定期的に求める基地局であり、又、既知の同期間隔で送信される同期信号間において衛星時刻と共に支援メッセージを送信する前記基地局を有するネットワークにおいて、衛星測位システムを用いた前記移動受信機を同期化するための方法であって、
前記基地局に対する前記移動受信機の動きを補正する時間係数を求める段階と、
前記ＲＴＤと、前記基地局に対する前記移動受信機の動きを補正する前記時間係数とに基づき推定往復遅延（ｅＲＴＤ）を求める段階と、
前記ＲＴＤと前記ＢＤの積に比例する前記基地局と前記移動受信機との間の推定伝搬遅
延を求める段階と、
前記推定伝搬遅延に基づき前記移動受信機のクロックを設定する段階と、を備えることを特徴とする方法。
【請求項１４】  請求項１３に記載の方法であって、
前記支援メッセージは、同期信号の送信に対して既知の支援メッセージ時刻オフセットで送信され、
前記移動受信機において受信する連続同期化バースト間の時間間隔を求める段階と、
前記時間間隔と前記既知の同期化間隔との時間差を求める段階と、
前記時間差と、前記既知の同期化間隔で除算した前記支援メッセージのオフセットの比との間の積に比例した時間係数を求める段階と、を備えることを特徴とする方法。
【請求項１５】  請求項１３に記載の方法であって、
基準ノードにおいて支援メッセージを生成する段階と、前記基準ノードから前記基地局へ前記支援メッセージを送信する段階と、前記基準ノードと前記基地局との間の伝搬遅延に前記推定伝搬遅延を加算することによって、前記基準ノードと前記移動受信機との間総伝搬遅延を求める段階と、前記総伝搬遅延に基づき前記移動受信機において前記クロックを設定する段階と、を備えることを特徴とする方法。
【請求項１６】  請求項１３に記載の方法であって、
ＴＳＣＨが、同期間隔であり、ＴエＳＣＨが、前記移動受信機で受信された連続同期信号間の間隔であり、Ｔオフセットが同期信号と支援メッセージの間隔である場合、ｅＲＴＤ＝ＲＴＤ＋［ＴエＳＣＨ／ＴＳＣＨ−１］＊［Ｔオフセット］を計算することによって、前記推定往復遅延（ｅＲＴＤ）を求める段階と、
ＴＰＲＯＰ＝［１／２］＊［ｅＲＴＤ］＊［ＢＤ］を計算することによって、前記基地局と前記移動受信機との間の前記推定伝搬遅延（ＴＰＲＯＰ）を求める段階と、を備えることを特徴とする方法。
【請求項１７】  既知のビット継続時間（ＢＤ）に基づき、移動受信機と基地局との間の往復遅延（ＲＴＤ）を定期的に求める基地局であり、又、既知の同期間隔（ＴＳＣＨ）で送信される同期信号間において衛星時刻と共に支援メッセージを送信する前記基地局を有するネットワークにおいて、衛星測位システムを用いた移動受信機であって、
Ｔオフセットが、同期信号と前記支援メッセージとの間の時間間隔であり、ＴエＳＣＨが、前記移動受信機で受信する連続同期化バースト間の時間間隔である場合、前記移動受信機と前記基地局との間の推定往復遅延（ｅＲＴＤ＝ＲＴＤ＋［ＴエＳＣＨ／ＴＳＣＨ−１］＊［Ｔオフセット］）を求める手段と、
前記基地局と前記移動受信機との間の推定伝搬遅延（ＴＰＲＯＰ＝［１／２］＊［ｅＲＴＤ］＊［ＢＤ］）を求める手段と、
前記推定伝搬遅延に基づき、前記移動受信機のクロックを同期化するための手段と、を備えることを特徴とする方法。
【請求項１８】  既知のビット継続時間（ＢＤ）に基づき、移動受信機と基地局との間の往復遅延（ＲＴＤ）を定期的に求める基地局であり、又、既知の同期間隔で送信される同期信号間において衛星時刻と共に支援メッセージを送信する前記基地局を有するネットワークにおいて、衛星測位システムを用いた移動受信機を同期化するための方法であって、
前記ビット継続時間の分解能と、前記移動受信機において受信される連続同期信号間の複数の時間間隔平均との積に比例した時間補正成分を求める段階と、
ＲＴＤと前記時間補正成分の総和に比例した前記基地局と前記移動受信機との間の推定伝搬遅延を求める段階と、
前記推定伝搬遅延に基づき、前記移動受信機のクロックを設定する段階と、を備えることを特徴とする方法。
【請求項１９】  請求項１８に記載の方法であって、
ＴエＳＣＨが、前記移動受信機において受信される複数の同期信号ＴＳＣＨ間の間隔平均であり、ｎが間隔の数である場合、
【数１】
2004519887.tif 000001
を計算することによって時間補正（Ｔ補正）成分を求める段階と、
ＢＤがビット存続時間であり、ＢＤＲがビット継続時間の分解能である場合、Ｔ遅延＝［１／２］＊［ＲＴＤ］＊［ＢＤ］＋［Ｔ補正］を計算することによって、前記推定伝搬遅延（Ｔ遅延）を求める段階と、を備えることを特徴とする方法。
【請求項２０】  或るビット継続時間の分解能（ＢＤＲ）を有する既知のビット継続時間（ＢＤ）に基づき、移動受信機と基地局との間の往復遅延（ＲＴＤ）を定期的に求める基地局であり、又、既知の同期間隔で送信される同期信号間の衛星時刻（ＴＳＣＨ）と共に支援メッセージを送信する前記基地局を有するネットワークにおける衛星測位システムを用いた移動受信機であって、
ＴエＳＣＨが、前記移動受信機において受信する複数の同期信号ＴＳＣＨ間における間隔の平均である場合、時間補正係数（
【数２】
2004519887.tif 000002
）を求める手段と、
前記基地局と前記移動受信機との間の推定伝搬遅延（Ｔ遅延＝［１／２］＊［ＲＴＤ］＊［ＢＤ］＋［Ｔ補正］）を求める手段と、
前記推定伝搬遅延に基づき、前記移動受信機のクロックを同期化するための手段と、を備えることを特徴とする方法。